(57)【要約】      （修正有）【課題】塗布部を屈曲させて塗布を容易にし、塗布棒の引上時、塗布部や塗布量調整部材が抜け難い化粧料塗布容器を提供する。【解決手段】容器本体1と、その口部1c外側に着脱可能に装着されるキャップ2と、キャップ2の裏側から突出する軸部3aを有し当該軸部3aの先端に設けた塗布部3bを屈曲させてなる塗布棒3と、口部2内側を貫通する筒状部4aを有しその上端に設けたフランジ4bにより口部1c上端に保持されると共に、肩部1bの内側に突出した段部4cにより抜け止め保持され、筒状部4aを貫通して胴部1a内側に突出した塗布部3bをキャップ4の引上げにより扱いて塗布量を調整する塗布量調整部材4とを備え、調整部材4の筒状部4aを、その段部4cから延長し、当該延長部4dに、その下端4eから上方に向かって延在し、塗布棒3の引き上げに伴う塗布部3bの接触によって当該延長部4dでの変形及び拡張を生起させる薄肉部4fを備える。【選択図】図１
2010172389.tif 000002
【特許請求の範囲】
【請求項１】
内容物を充填する胴部を有し当該胴部に通じる口部が肩部を介して繋がる容器本体と、口部外側に着脱可能に装着されるキャップと、このキャップの裏側から突出する軸部を有し当該軸部の先端に設けた塗布部を屈曲させてなる塗布棒と、口部内側を貫通する筒状部を有しその上端に設けたフランジにより口部上端に保持されると共に、肩部の内側に突出した段部により抜け止め保持され、当該筒状部を貫通して胴部内側に突出した塗布部をキャップの引き上げにより扱いて塗布量を調整する塗布量調整部材とを備える化粧料塗布容器であって、
塗布量調整部材の筒状部に、その段部から延長する延長部を設け、
当該延長部に、その下端から上方に向かって延在し、塗布棒の引き上げに伴う塗布部の接触によって当該延長部での変形及び拡張を生起させる薄肉部又はスリットを備えることを特徴とする化粧料塗布容器。
【請求項２】
請求項１において、前記薄肉部は、延長部の内側に凹部を形成することで形作られ、当該凹部の円周方向幅は、延長部の外周側に向かうに従って狭くなるものであることを特徴とする化粧料塗布容器。
【請求項３】
請求項２において、延長部の内周面に前記凹部を形作る稜線のうち、軸線方向に延在する稜線を面取りしてなることを特徴とする化粧料塗布容器。
【請求項４】
請求項１において、前記スリットは、その円周方向幅が外周側に向かうに従って狭くなるものであることを特徴とする化粧料塗布容器。
【請求項５】
請求項４において、スリットを形作る稜線のうち、延長部の内側に形作られ、軸線方向に延在する稜線を面取りしてなることを特徴とする化粧料塗布容器。
【発明の詳細な説明】
【技術分野】
【０００１】
本発明は、容器本体の口部に装着されるキャップに塗布棒を設け、その塗布部を軸部に対して屈曲させることで塗布のし易さを向上させる一方、容器本体の口部内側に保持した塗布量調整部材で塗布部を扱いてその付着量を好適な値に調整することができる化粧料塗布容器に関するものである。
【背景技術】
【０００２】
従来の化粧料塗布容器には、塗布量調整部材の筒状部上端にフランジを設けて口部上端で保持すると共に、容器本体の肩部の内側に突出した段部で抜け止め保持し、更に、当該段部に、その下端から上方に向かって延在するスリットを形成することで、塗布棒の引き上げに伴う塗布部の接触によって当該段部での変形及び拡張を生起させ、これにより、塗布量調整部材の抜けを防止しようとするものがある（例えば、特許文献１及び特許文献２参照）。
【先行技術文献】
【特許文献】
【０００３】
【特許文献１】実公昭５３−２４４３６号公報
【特許文献２】実開昭６０−１２６１０９号公報
【発明の概要】
【発明が解決しようとする課題】
【０００４】
しかしながら、上述した従来の化粧料塗布容器では、剛性が高い段部であって肩部との接触によって弾性変形し難い抜け止めに係る段部にスリットが形成されているため、唇等の対象物に対して内容物を塗布し易くすべく、塗布部を屈曲させた場合、塗布棒の引き上げに際し、当該塗布部が段部に接触しても、塗布量調整部材の抜けを防止するに至るまでの変形及び拡張を生起させることができないことがある。
【０００５】
このため、従来の化粧料塗布容器にあっても、塗布棒の引き上げに伴い塗布部が段部の内径部分に引っ掛かることが考えられ、こうした引っ掛かりが起こったときには、当該塗布部や塗布量調整部材そのものが抜けてしまうことが憂慮される。
【０００６】
本発明は、塗布部を屈曲させることで対象物に対する塗布を容易にしつつも、塗布棒の引き上げに際して、当該塗布棒の塗布部や塗布量調整部材が抜け難く耐久性に優れた化粧料塗布容器を提供することにある。
【課題を解決するための手段】
【０００７】
本発明は、内容物を充填する胴部を有し当該胴部に通じる口部が肩部を介して繋がる容器本体と、口部外側に着脱可能に装着されるキャップと、このキャップの裏側から突出する軸部を有し当該軸部の先端に設けた塗布部を屈曲させてなる塗布棒と、口部内側を貫通する筒状部を有しその上端に設けたフランジにより口部上端に保持されると共に、肩部の内側に突出した段部により抜け止め保持され、当該筒状部を貫通して胴部内側に突出した塗布部をキャップの引き上げにより扱いて塗布量を調整する塗布量調整部材とを備える化粧料塗布容器であって、
塗布量調整部材の筒状部を、その段部から容器本体の胴部内側に向かって延長し、
当該延長部に、その下端から上方に向かって延在し、塗布棒の引き上げに伴う塗布部の接触によって当該延長部での変形及び拡張を生起させる薄肉部又はスリットを備えることを特徴とするものである。
【０００８】
薄肉部は、延長部の内側を窪ませることで形作られ、その円周方向幅が外周側に向かうに従って狭くなるものであることが好ましい。また、薄肉部を備える場合、この薄肉部を形作る稜線のうち、軸線方向に延在する稜線は面取りしてなることが好ましい。
【０００９】
一方、スリットは、その円周方向幅が外周側に向かうに従って狭くなるものであることが好ましい。また、スリットを備える場合、このスリットを形作る稜線のうち、延長部の内側に形作られ、軸線方向に延在する稜線を面取りすることが好ましい。
【００１０】
本発明に係る塗布部としては、ブラシ状のものや櫛状のもの等、様々なものが挙げられるが、当該塗布部をエラストマに代表される合成樹脂製の弾性体とすることもできる。
【発明の効果】
【００１１】
本発明では、塗布量調整部材の筒状部を、その段部から延長して容器本体の内側に配置すると共に、この延長部に、その下端から上方に向かって延在する薄肉部又はスリットを設けたことで、延長部の円周方向における拘束力が弱まるため、塗布棒の引き上げに伴う塗布部の接触によって当該延長部での変形及び拡張を生起させることができる。
【００１２】
即ち、本発明では、塗布のし易さから塗布部を屈曲させた場合でも、当該塗布部の引き上げ時における案内が、剛性が高く弾性変形し難い段部の内径部分ではなく、この段部から更に下方に延長した延長部下端の内径部分、即ち、薄肉部によって円周方向の拘束力が弱められた内径部分で行われることから、スリットを形成した段部に塗布部を接触する場合に比べて、塗布棒との接触に伴う変形及び拡張をさせ易い。
【００１３】
従って、本発明によれば、塗布部を屈曲させることで対象物に対する塗布を容易にしつつも、塗布棒の引き上げに際して、当該塗布棒の塗布部や塗布量調整部材が抜け難く耐久性に優れた化粧料塗布容器を提供することができる。
【００１４】
また、本発明では、延長部に備われる薄肉部を、延長部の内側に凹部を形成することで形作ると共に、当該凹部の円周方向幅を、延長部の外周側に向かうに従って狭くなるようにすれば、塗布量調整部材内での塗布部の引き上げがスムースに行われるので、塗布部の引っ掛かり防止に有効である。この場合、延長部の大径面に凹部を形作る稜線のうち、軸線方向に延在する稜線を面取りすれば、塗布部の引っ掛かり防止に更に有効である。
【００１５】
また、本発明では、延長部に備われるスリットを、その円周方向幅が外周側に向かうに従って狭くなるようにしても、塗布量調整部材内での塗布部の引き上げがスムースに行われるので、塗布部の引っ掛かり防止に有効である。この場合も、スリットを形作る稜線のうち、延長部の内側に形作られ、軸線方向に延在する稜線を面取りすれば、塗布部の引っ掛かり防止に更に有効である。
【図面の簡単な説明】
【００１６】
【図１】(a),(b)はそれぞれ、本発明の第１の形態であるリップグロス容器の平面図と、そのＸ−Ｘ断面図である。
【図２】図１(b)の領域Ｒ1を示す要部拡大図である。
【図３】図１(b)の領域Ｒ2を示す要部拡大図である。
【図４】(a),(b)はそれぞれ、同形態に組み込まれた塗布量調整部材を示す底面図及び、そのＹ−Ｙ断面図である。
【図５】(a),(b)はそれぞれ、図１のリップグロス容器に組み込み可能な他の塗布量調整部材を示す底面図及び、そのＺ−Ｚ断面図である。
【発明を実施するための形態】
【００１７】
以下、図面を参照して、本発明の好適な形態を詳細に説明する。
【００１８】
図１(a),(b)はそれぞれ、本発明の第１の形態であるリップグロス容器の平面図と、そのＸ−Ｘ断面図であり、また、図２，３はそれぞれ、図１(b)の領域Ｒ1を示す要部拡大図及び、同図(b)の領域Ｒ2を示す要部拡大図である。更に、図４(a),(b)はそれぞれ、同形態に組み込まれた塗布量調整部材４を示す底面図及び、そのＹ−Ｙ断面図である。
【００１９】
符号１は、リップグロスを充填する胴部１ａと、この胴部１ａに繋がる肩部１ｂと、この肩部１ｂを介して繋がる口部１ｃとを有する容器本体である。肩部１ｂは、胴部１ａに繋がる大径の肩部１ｂ(1)と、この肩部１ｂ(1)に繋がる小径の肩部１ｂ(2)とからなる。
【００２０】
符号２は、容器本体１の口部１ｃに着脱可能に装着されるキャップである。キャップ２は、口部１ｃの外周に着脱可能に螺着されるスクリューキャップである。なお、キャップ２は、スクリューキャップに限定されるものではなく、その着脱手段は適宜変更することができる。
【００２１】
符号３は、キャップ２の裏側に固定され、当該キャップ２から突出する軸部３ａと、この軸部３ａの先端に取り付けられた塗布部３ｂとを有する塗布棒である。塗布部３ｂは、例えば、エラストマ等の弾性材料からなり、図２に示すように、軸部３ａに対して屈曲している。また本形態では、塗布部３ｂは、連結シャフト３ｃを介して軸部３の先端に連結されている。
【００２２】
符号４は、キャップ２の取り外しに伴う塗布棒３の引き上げにより、塗布部３ｂを扱いて当該塗布部３ｂに付着したリップグロスの付着量（塗布量）を調整する塗布量調整部材である。
【００２３】
塗布量調整部材４は、図１，３に示すように、口部１ｃを通って容器本体１内に配置される筒状部４ａを有し、その上端に設けたフランジ４ｂにより口部１ｃの上端に保持されると共に、肩部１ｂ(2)の内側に対向するように外方に突出した環状の段部４ｃにより抜け止め保持されている。
【００２４】
また、筒状部４ａには、その下端４ｅを段部４ｃから延長させることで、延長部４ｄを形成し、この延長部４ｄが容器本体１内に配置されている。
【００２５】
筒状部４ａの内周面は、図４(b)に示すように、小径面ｆ1と大径面ｆ2とからなり、その段差部分には、軸線Ｏに向かって垂下する環状の舌片４ｔが一体に形成されている。舌片４ｔは、その内側に軸部３ａを貫通させる孔Ａを形成する。これにより、舌片４ｔは、キャップ２の取り外しに伴う塗布棒３の引き上げにより、塗布部３ｂを扱いてリップグロスの付着量を調整する。
【００２６】
筒状部４ａのうち、延長部４ｄには、図４(a)に示すように、軸線Ｏ周りに局所的に３箇所、大径面ｆ2側に凹部Ｇを形成する薄肉部４ｆが形作られている。薄肉部４ｆは、同図(b)に示すように、筒状部４ａの下端４ｅから軸線Ｏ方向に沿って上方に向かって段部４ｃの手前に至るまで延在する。これにより、延長部４ｄでは、３つの薄肉部４ｆの存在により、その円周方向（軸線Ｏ周り方向）における拘束力が弱まるため、径方向における変形及び拡張が容易になる。
【００２７】
また、本発明によれば、図４(a)に示すように、凹部Ｇにおける、軸線Ｏ周りの円周方向幅Ｗ1を、延長部４ｄの外周側（径方向外側）に向かうに従って狭くすることができる。加えて、本発明によれば、大径面ｆ2に凹部Ｇを形作る稜線のうち、軸線Ｏ方向に延在する稜線Ｃを面取りすることができる。本形態では、稜線Ｃの面取りを、同図(a)に示すように、湾曲面として構成する。
【００２８】
本形態では、筒状部４ａを、その段部４ｃから軸線Ｏに沿って下方に延長して容器本体１の内側に配置すると共に、この延長部４ｄに、その下端４ｅから上方に向かって延在する複数の薄肉部４ｆを設けたことで、延長部４ｄの円周方向における拘束力が弱まるため、塗布棒３の引き上げに伴う塗布部３ｂの接触によって当該延長部４ｄでの変形及び拡張を生起させることができる。
【００２９】
即ち、本形態の如く、塗布のし易さから塗布部３ｂを屈曲させた場合でも、当該塗布部３ｂの引き上げ時における案内が、剛性が高く弾性変形し難い段部４ｃの内径部分ではなく、この段部４ｃから更に下方に延長した延長部４ｄの下端４ｅの内径部分、即ち、薄肉部４ｆによって円周方向の拘束力が弱められた内径部分で行われることから、従来のように、スリットを形成した段部４ｃに塗布部３ｂを接触する場合に比べて、塗布棒３との接触に伴う変形及び拡張をさせ易い。
【００３０】
従って、本形態によれば、塗布部３ｂを屈曲させることで唇に対するリップグロスの塗布を容易にしつつも、塗布棒３の引き上げに際して、塗布部３ｂや塗布量調整部材４が抜け難く耐久性に優れた化粧料塗布容器を提供することができる。
【００３１】
また、本形態の如く、延長部４ｄに備われる薄肉部４ｆを、延長部４ｄの内側に凹部Ｇを形成することで形作ると共に、当該凹部Ｇの円周方向幅Ｗ1を、延長部４ｄの外周側に向かうに従って狭くなるようにすれば、塗布量調整部材４内での塗布部３ｂの引き上げがスムースに行われるので、塗布部３ｂの引っ掛かり防止に有効である。この場合、延長部４ｄの大径面ｆ2に凹部Ｇを形作る稜線のうち、軸線Ｏ方向に延在する稜線Ｃを面取りすれば、塗布部３ｂの引っ掛かり防止に更に有効である。
【００３２】
図５(a),(b)はそれぞれ、図１のリップグロス容器に組み込み可能な他の塗布量調整部材４を示す底面図及び、そのＺ−Ｚ断面図である。
【００３３】
本形態では、塗布量調整部材４の大径面ｆ2には、図５(a)に示すように、軸線Ｏ周りに局所的に４箇所、スリット（切欠き）４ｓが形成されている。スリット４ｓは、同図(b)に示すように、その下端４ｅから軸線Ｏ方向に沿って上方に向かって段部４ｃの手前に至るまで延在する。
【００３４】
また、スリット４ｓも、図５(a)に示すように、その円周方向幅Ｗ2が外周側に向かうに従って狭くなっている。更に、スリット４ｓも、同図(a)に示すように、スリット４ｓを形作る稜線のうち、軸線Ｏ方向に延在する稜線Ｃを面取りしてなる。
【００３５】
本形態でも、塗布量調整部材４の筒状部４ａを、その段部４ｃから軸線Ｏに沿って下方に延長して容器本体１の内側に配置すると共に、この延長部４ｄに、その下端４ｅから上方に向かって延在する複数のスリット４ｓを設けたことで、延長部４ｄの円周方向における拘束力が弱まるため、塗布棒３の引き上げに伴う塗布部３ｂの接触によって当該延長部４ｄでの変形及び拡張を生起させることができる。
【００３６】
即ち、本形態も、塗布のし易さから塗布部３ｂを屈曲させた場合、当該塗布部３ｂの引き上げ時における案内が、剛性が高く弾性変形し難い段部４ｃの内径部分ではなく、この段部４ｃから更に下方に延長した延長部４ｄの下端４ｅの内径部分、即ち、薄肉部４ｆによって円周方向の拘束力が弱められた内径部分で行われることから、従来のように、スリットを形成した段部４ｃに塗布部３ｂを接触する場合に比べて、塗布棒３との接触に伴う変形及び拡張をさせ易い。
【００３７】
従って、本形態でも、塗布部３ｂを屈曲させることで唇に対するリップグロスの塗布を容易にしつつも、塗布棒３の引き上げに際して、塗布部３ｂや塗布量調整部材４が抜け難く耐久性に優れた化粧料塗布容器を提供することができる。
【００３８】
また、本形態の如く、延長部４ｄに備われるスリット４ｓを、その円周方向幅Ｗ2が外周に向かうに従って狭くなるようにしても、塗布量調整部材４内での塗布部３ｂの引き上げがスムースに行われるので、塗布部３ｂの引っ掛かり防止に有効である。この場合も、スリット４ｓを形作る稜線のうち、延長部４ｄの内側、即ち、大径面ｆ2に形作られ、軸線Ｏ方向に延在する稜線Ｃを面取りすれば、塗布部３ｂの引っ掛かり防止に更に有効である。
【００３９】
上述したところは、本発明の好適な形態をしたものであるが、特許請求の範囲において、種々の変更を加えることができる。例えば、塗布部３ｂは、弾性材料からなるものに限定されるものではなく、合成樹脂からなる全般のものを採用することができる。また、外装部材110の蓋体115は、ヒンジキャップに限らず、スクリューキャップ等であってもよい。加えて、各形態に採用された各構成はそれぞれ、互いに適宜組み合わせることができる。
【産業上の利用可能性】
【００４０】
本発明は、塗布を要する化粧料容器全般に採用することができ、その内容物も、リップグロスに限定されることなく、マスカラ等の液状の内容物であれば、様々なものが挙げられる。
【符号の説明】
【００４１】
１      容器本体
１ａ    胴部
１ｂ    肩部
１ｂ(1)  肩部
１ｂ(2)  肩部
１ｃ    口部
２      キャップ
３      塗布棒
３ａ    軸部
３ｂ    塗布部
３ｃ    連結部
４      塗布量調整部材
４ａ    筒状部
４ｂ    フランジ
４ｃ    段部
４ｄ    延長部
４ｅ    筒状部（延長部）端面
４ｆ    薄肉部
４ｓ    スリット
Ａ      筒状部孔
Ｃ      面取り稜線
Ｇ      凹部
ｆ1     筒状部内周小径面
ｆ2     筒状部内周大径面
【図１】
2010172389.tif 000003
【図２】
2010172389.tif 000004
【図３】
2010172389.tif 000005
【図４】
2010172389.tif 000006
【図５】
2010172389.tif 000007